(57)【要約】【課題】空気吹出口で広範囲に均等な空気の吹出しと風量の増大を実現できる遠心ファン装置を提供することを目的とする。【解決手段】分流部材１０の高さをファンフレーム２ｂの内壁面８の高さより低くして、その分流部材１０は内壁面８に沿って流れ空気吹出口５に抜ける空気を遠心ファン４の回転中心軸４ｃと直交する方向及び遠心ファン４の回転中心軸４ｃ方向の２方向において分流させることによって、空気吹出口５から吹出る空気の量を空気吹出口５の全領域にまんべんなく分散して、空気吹出口５から吹出す空気の風量の偏りを少なくした遠心ファン装置。【選択図】図４
2008291819.tif 000002
【特許請求の範囲】
【請求項１】
ブレードの回転によって遠心方向へ空気を送風する遠心ファンと、
前記遠心ファンを収容し前記遠心ファンの外周側の側方に空気を吹出す空気吹出口を有する側壁と前記ブレードを覆い空気を吸気する空気吸込口を有する平行な部材とを具備するケーシングと、
前記ケーシングの前記平行な部材の内面に立設され前記側壁から前記空気吹出口に延在し前記側壁の側壁面の高さより低い分流部材と、を有する遠心ファン装置。
【請求項２】
前記分流部材の前記ブレード側の側面は前記内面に対して略垂直で、前記分流部材の前記側壁側の側面は前記内面に対して傾斜していることを特徴とする請求項１記載の遠心ファン装置。
【請求項３】
前記分流部材の前記空気吹出口側の端面は前記内面に対して傾斜していることを特徴とする請求項２記載の遠心ファン装置。
【請求項４】
ブレードの回転によって遠心方向へ空気を送風する遠心ファンと、
前記遠心ファンを収容し前記遠心ファンの外周側の側方に空気を吹出す空気吹出口を有する側壁と前記ブレードを覆い空気を吸気する空気吸込口を有する平行な部材とを具備するケーシングと、
前記ケーシングの前記平行な部材の内面に立設され前記側壁から前記空気吹出口に延在し前記側壁の側壁面の高さより低い分流部材と、
前記ケーシングの前記空気吹出口に連なる放熱フィンと、を有する遠心ファン装置。
【請求項５】
前記分流部材の前記ブレード側の側面は前記内面に対して略垂直で、前記分流部材の前記側壁側の側面は前記内面に対して傾斜していることを特徴とする請求項４記載の遠心ファン装置。
【請求項６】
前記分流部材の前記空気吹出口側の端面は前記内面に対して傾斜していることを特徴とする請求項５記載の遠心ファン装置。
【請求項７】
ブレードの回転によって遠心方向へ空気を送風する遠心ファンと、
前記遠心ファンを収容し前記遠心ファンの外周側の側方に空気を吹出す空気吹出口を有する側壁と前記ブレードを覆い空気を吸気する空気吸込口を有する平行な部材とを具備するケーシングと、
前記ケーシングの前記平行な部材の内面に立設され前記側壁の側壁面の高さより低い分流部材と、を有し、
前記分流部材は前記空気吹出口に抜ける空気を前記遠心ファンの回転中心軸と直交する方向及び前記遠心ファンの回転中心軸方向の２方向において分流することを特徴とする遠心ファン装置。
【請求項８】
前記分流部材の前記ブレード側の側面は前記内面に対して略垂直で、前記分流部材の前記側壁側の側面は前記内面に対して傾斜し、前記ブレード側の側面から上方に抜けた空気がその傾斜面に沿って流れることを特徴とする請求項７記載の遠心ファン装置。
【請求項９】
前記分流部材の前記空気吹出口側の端面は前記内面に対して傾斜し、前記遠心ファンの回転中心軸と直交する方向及び前記遠心ファンの回転中心軸方向の２方向において分流された空気がその傾斜面に沿って前記空気吹出口に近づくほど混ざり合うことを特徴とする請求項７記載の遠心ファン装置。
【請求項１０】
遠心ファンと、
前記遠心ファンを収容し空気吸込口と空気吹出口とが形成されたケーシングと、
前記ケーシングの内部に設けられ前記空気吹出口が形成された面から前記空気吹出口に延在し前記ケーシングの内部の高さより低い凸部と、を有する遠心ファン装置。
【請求項１１】
請求項１から１０いずれか１項に記載の遠心ファン装置を具備する電子機器。
【発明の詳細な説明】
【技術分野】
【０００１】
本発明は、電子機器の筐体内部に実装された超小型演算処理装置（以下、ＭＰＵと称する）などの発熱体の冷却に用いる遠心ファン装置で、受熱体から放熱体までの熱輸送をヒートパイプや液体冷媒の循環などの方式により効率的に行った後、その放熱体を強制的に放熱する遠心ファン装置及びそれを備えた電子機器に関するものである。
【背景技術】
【０００２】
最近のコンピュータにおけるデータ処理の高速化の動きはきわめて急速であり、ＭＰＵのクロック周波数は、以前と比較して格段に高いものになってきている。
【０００３】
その結果、ＭＰＵの発熱量が増大し、従来のように放熱フィンを有するヒートシンクなどの発熱体に接触させて放熱する方法だけなく、そのヒートシンクをファンで直接冷却する方法、あるいは受熱体と放熱体とをヒートパイプを用いて熱接続したヒートシンクモジュールを構成して、その放熱体をファンの送風で強制冷却する方法や、さらには、熱伝導性の高い液体冷媒をポンプによって強制循環させ受熱部と放熱部との間で熱輸送された放熱体を遠心ファン装置により強制的に送風して放熱することが必要不可欠となっており、今後さらにその冷却性能の向上と併せて小型化・薄型化が必要とされている。
【０００４】
一方、遠心ファン装置の冷却性能の向上は、その高風量化、高静圧化などの送風性能の向上に大きく依存し、加えて空気吹出口で広範囲に均等に吹出すことによっても、例えばその空気吹出口に設置された放熱フィンと効率的に熱交換が行われるので、大きく改善することが可能となっている。
【０００５】
図１０（ａ）は従来の技術における遠心ファン装置のケーシングの内部を示す側面図で、図１０（ｂ）は従来の技術における遠心ファン装置のケーシングの一部を切り欠いた正面図である。
【０００６】
ここで、遠心ファン装置１０１は渦巻状のケーシング１０２の内部にシロッコファン１０３が設けられ、ケーシング１０２の一方の面にはシロッコファン１０３を回転させるためのモータ１０４が設けられ、またその反対面には空気吸入口１０５が設けられている。
【０００７】
渦巻状のケーシング１０２は、平行に配された側壁１２１、１２２と外周壁１２３とからなり、シロッコファン１０３の回転により発生する風の通風路１０６をケーシング１０２の内部に形成し、通風路１０６の端部には吐出口１０７を開口している。
【０００８】
そして、遠心ファン装置１０１は、シロッコファン１０３の回転軸１０８と平行なケーシングノーズ部１０９に続くケーシング１０２の外周壁１２３ａが吐出口１０７に向かって広がるように形成し、それに伴って両側壁の端部１２１ａ、１２２ａを拡大してケーシング１０２端部に広く開口する吐出口部１０７ａを設け、さらにノーズ位置角度（Ａ）を従来の位置より下方に変更してケーシングノーズ部１０９を移動し開口面積をより広くし、先端部にストレート部１１０を持つ広口の吐出口１０７を開口している。
【０００９】
また、仕切り板１１１が、ケーシング１０２の両側壁１２１、１２２の間に通風路１０６から広口の吐出口１０７にかけて設けられている。
【００１０】
遠心ファン装置１０１は、モータ１０４の駆動によりシロッコファン１０３が回転し、空気吸入口１０５から吸い込んだ空気を渦巻き状の風にして通風路１０６を通過させて、
ケーシング１０２の端部に開口する広口の吐出口１０７から風を吹出す。
【００１１】
遠心ファン装置１０１の仕切り板１１１は、通風路１０６から送られてくる風をほぼ等分に分流するように配設されているので、風はノーズ側の通風路１１２と反ノーズ側の通風路１１３にほぼ等分に分流され広口の吐出口１０７に近づくほど広がるように導かれて、広口の吐出口１０７の出口全体からほぼ均等に吹出すことができる。
【００１２】
遠心ファン装置１０１では、大きく拡大された吐出口部の通風路をノーズ側と反ノーズ側とにほぼ等分に分けて風を導き、広口の吐出口１０７全体から均等に風を吹出すので、仕切り板１１１を備えない従来技術のような送風性能の低下を防ぐことができる。
【００１３】
したがって、遠心ファン装置１０１は、例えば、ハイブリットカーなどの多量のバッテリーを積載した電気自動車のバッテリー冷却用等、広範囲への送風、冷却に有効となる。
【００１４】
なお、仕切り板１１１を前記と別の位置に設けたり、傾き角度を変えて配置することで、広口の吐出口１０７から吹出す風の方向や風量を変更したりすることもできる（特許文献１）。
【００１５】
また、他の従来の技術において、図示はしないがクロスフローファンを用いた送風装置があり、空気吹出口に近い通風路内にその通風路を分割する１乃至複数の風路仕切りを設けることによって、空気の流れが通風路内で安定し、さらには気流剥離の発生を抑制し、剥離音を要因とする騒音を低減できるようにしたものも提案されている（特許文献２）。
【特許文献１】特開２００３−３３６６００号公報（第５頁の図１、図２）
【特許文献２】特開２００４−２７８４７３号公報（第８頁の図１、図３）
【発明の開示】
【発明が解決しようとする課題】
【００１６】
しかしながら、前記のような従来の技術における遠心ファン装置１０１では、仕切り板１１１の形状が単なるプレート状の形状であると共にその仕切り板１１１が通風路１０６の全高に亘って形成されているので、通風路１１２と１１３へ略等分に分流された空気のうち、特に通風路１１３側に分流された空気が広口の吐出口１０７まで円滑に流れることが困難であるという課題を有していた。
【００１７】
つまり、仕切り板１１１におけるシロッコファン１０３の方向へ向いた面には、そのシロッコファン１０３によって送風された空気が絶えずぶつかりながら、強制的にノーズ側の通風路１１２に広がるように空気の流れ方向が変えられている。
【００１８】
しかし、その仕切り板１１１のシロッコファン１０３に方向へ向いた面の反対側に位置する面の近傍においては、逆に空気が流れにくくその近傍の空気の速度が大きく減速して、通風路１１３の外周壁１２３の近傍を流れる空気との圧力差も発生し易くなっている。
【００１９】
したがって、この仕切り板１１１が全体として大きな風路抵抗として作用し、シロッコファン１０３に方向へ向いた面の反対側において渦流や乱流の生成される要因にもなるので、広口の吐出口１０７から従来と比較して吐出口１０７から均等で空気を吹出すことができるものの、前述したように部分的に円滑に空気が流れないことによって全体の送風量をより大きくするのが困難であるという課題があった。
【００２０】
また、前記のような従来の技術におけるクロスフローファンを用いた送風装置では、空気の流れの安定性が向上して騒音が低減できるものの、空気吹出口で広範囲に均等に吹出すことが困難であるという課題があった。
【００２１】
本発明は、前記のような従来の課題を解決するもので、空気吹出口で広範囲に均等な空気の吹出しと風量の増大を実現できる遠心ファン装置を提供することを目的とする。
【課題を解決するための手段】
【００２２】
前記従来の課題を解決するために、本発明の遠心ファン装置は、ブレードの回転によって遠心方向へ空気を送風する遠心ファンと、遠心ファンを収容し遠心ファンの外周側の側方に空気を吹出す空気吹出口を有する側壁とブレードを覆い空気を吸気する空気吸込口を有する平行な部材とを具備するケーシングと、ケーシングの平行な部材の内面に立設され側壁から空気吹出口に延在し側壁の側壁面の高さより低い分流部材と、を有する。
【００２３】
本構成によって、空気吹出口から吹出す空気の風量の偏りを少なくできるので、広範囲に均等な空気の吹出しと風量の増大を実現できる。
【００２４】
また、本発明の放熱フィンを具備した遠心ファン装置は、ブレードの回転によって遠心方向へ空気を送風する遠心ファンと、遠心ファンを収容し遠心ファンの外周側の側方に空気を吹出す空気吹出口を有する側壁とブレードを覆い空気を吸気する空気吸込口を有する平行な部材とを具備するケーシングと、ケーシングの平行な部材の内面に立設され側壁から空気吹出口に延在し側壁の側壁面の高さより低い分流部材と、を有する。
【００２５】
本構成によって、空気吹出口から吹出す空気の風量の偏りを少なくできるので、広範囲に均等な空気の吹出しと風量の増大の効果が得られ放熱フィンでの熱交換が効率的に行われ、冷却性能の向上を実現できる。
【００２６】
また、放熱フィンに対して偏った送風が行われることに起因した放熱フィン間の隙間の通風時における風切り騒音などの異音の発生も抑制できるので、より静音性の向上を実現できる。
【００２７】
さらに、本発明の電子機器は、本発明の遠心ファン装置を具備している。
【００２８】
本構成によって、放熱フィンなどの放熱体に対する放熱性能が向上し、より高速なクロック周波数で駆動するＭＰＵやＣＰＵなどの発熱電子部品を搭載した場合の発熱対策が容易になるので、その発熱電子部品の冷却性能が向上して電子機器の高性能化を実現できる。
【発明の効果】
【００２９】
本発明の遠心ファン装置によれば、空気吹出口から吹出す空気の風量の偏りを少なくできるので、広範囲に均等な空気の吹出しと風量の増大を実現できる。
【発明を実施するための最良の形態】
【００３０】
請求項１記載の発明によれば、ブレードの回転によって遠心方向へ空気を送風する遠心ファンと、遠心ファンを収容し遠心ファンの外周側の側方に空気を吹出す空気吹出口を有する側壁とブレードを覆い空気を吸気する空気吸込口を有する平行な部材とを具備するケーシングと、ケーシングの平行な部材の内面に立設され側壁から空気吹出口に延在し側壁の側壁面の高さより低い分流部材と、を有することにより、空気吹出口から吹出す空気の風量の偏りを少なくできるので、広範囲に均等な空気の吹出しと風量の増大を実現できる。
【００３１】
請求項２記載の発明によれば、分流部材のブレード側の側面は内面に対して略垂直で、分流部材の側壁側の側面は内面に対して傾斜していることにより、その分流部材による風路抵抗が小さくなり渦流や乱流の生成が抑制され、その傾斜面に沿って空気が円滑に流れるので、空気吹出口から吹出す空気の風量の偏りをより一層確実に少なくし、広範囲により均等な空気の吹出しと風量の増大を実現できる。
【００３２】
請求項３記載の発明によれば、分流部材の空気吹出口側の端面は内面に対して傾斜していることにより、内壁面に沿って流れる空気は分流部材によって分流されつつ、遠心ファンの回転中心軸と直交する方向及び遠心ファンの回転中心軸方向の２方向において分流された空気がその傾斜面に沿って空気吹出口に近づくほど混ざり合って、空気吹出口から吹出す空気の風量を空気吹出口の領域内において均等することができ、その結果、空気吹出口から吹出す空気の風量の偏りをより一層確実に少なくし、広範囲に均等な空気の吹出しと風量の増大を実現できる。
【００３３】
請求項４記載の発明によれば、ブレードの回転によって遠心方向へ空気を送風する遠心ファンと、遠心ファンを収容し遠心ファンの外周側の側方に空気を吹出す空気吹出口を有する側壁とブレードを覆い空気を吸気する空気吸込口を有する平行な部材とを具備するケーシングと、ケーシングの平行な部材の内面に立設され側壁から空気吹出口に延在し側壁の側壁面の高さより低い分流部材と、ケーシングの空気吹出口に連なる放熱フィンと、を有することにより、空気吹出口から吹出す空気の風量の偏りを少なくできるので、広範囲に均等な空気の吹出しと風量の増大の効果が得られ放熱フィンでの熱交換が効率的に行われ、冷却性能の向上を実現できる。
【００３４】
また、放熱フィンに対して偏った送風が行われることに起因した放熱フィン間の隙間の通風時における風切り騒音などの異音の発生も抑制できるので、より静音性の向上を実現できる。
【００３５】
請求項５記載の発明によれば、分流部材のブレード側の側面は内面に対して略垂直で、分流部材の側壁側の側面は内面に対して傾斜していることにより、その分流部材による風路抵抗が小さくなり渦流や乱流の生成が抑制され、その傾斜面に沿って空気が円滑に流れるので、空気吹出口から吹出す空気の風量の偏りをより一層確実に少なくし、広範囲により均等な空気の吹出しと風量の増大の効果が得られ放熱フィンでの熱交換が効率的に行われ、冷却性能の向上を実現できる。
【００３６】
また、放熱フィンに対して偏った送風が行われることに起因した放熱フィン間の隙間の通風時における風切り騒音などの異音の発生も抑制できるので、より静音性の向上を実現できる。
【００３７】
請求項６記載の発明によれば、分流部材の空気吹出口側の端面は内面に対して傾斜していることにより、内壁面に沿って流れる空気は分流部材によって分流されつつ、遠心ファンの回転中心軸と直交する方向及び遠心ファンの回転中心軸方向の２方向において分流された空気がその傾斜面に沿って空気吹出口に近づくほど混ざり合って、空気吹出口から吹出す空気の風量を空気吹出口の領域内において均等することができる。その結果、空気吹出口から吹出す空気の風量の偏りをより一層確実に少なくし、広範囲により均等な空気の吹出しと風量の増大の効果が得られ放熱フィンでの熱交換が効率的に行われ、冷却性能の向上を実現できる。
【００３８】
また、放熱フィンに対して偏った送風が行われることに起因した放熱フィン間の隙間の通風時における風切り騒音などの異音の発生も抑制できるので、より静音性の向上を実現できる。
【００３９】
請求項７記載の発明によれば、ブレードの回転によって遠心方向へ空気を送風する遠心ファンと、遠心ファンを収容し遠心ファンの外周側の側方に空気を吹出す空気吹出口を有する側壁とブレードを覆い空気を吸気する空気吸込口を有する平行な部材とを具備するケーシングと、ケーシングの平行な部材の内面に立設され側壁の側壁面の高さより低い分流部材と、を有し、分流部材は空気吹出口に抜ける空気を遠心ファンの回転中心軸と直交する方向及び遠心ファンの回転中心軸方向の２方向において分流することにより、空気吹出口から吹出す空気の風量の偏りを少なくできるので、広範囲に均等な空気の吹出しと風量の増大を実現できる。
【００４０】
請求項８記載の発明によれば、分流部材のブレード側の側面は内面に対して略垂直で、分流部材の側壁側の側面は内面に対して傾斜し、ブレード側の側面から上方に抜けた空気がその傾斜面に沿って流れることにより、その分流部材による風路抵抗が小さくなり渦流や乱流の生成が抑制され、その傾斜面に沿って空気が円滑に流れるので、空気吹出口から吹出す空気の風量の偏りをより一層確実に少なくし、広範囲により均等な空気の吹出しと風量の増大を実現できる。
【００４１】
請求項９記載の発明によれば、分流部材の空気吹出口側の端面は内面に対して傾斜し、遠心ファンの回転中心軸と直交する方向及遠心ファンの回転中心軸方向の２方向において分流された空気がその傾斜面に沿って空気吹出口に近づくほど混ざり合うことにより、内壁面に沿って流れる空気は分流部材によって分流されつつ、遠心ファンの回転中心軸と直交する方向及び遠心ファンの回転中心軸方向の２方向において分流された空気がその傾斜面に沿って空気吹出口に近づくほど混ざり合って、空気吹出口から吹出す空気の風量を空気吹出口の領域内において均等することができ、その結果、空気吹出口から吹出す空気の風量の偏りをより一層確実に少なくし、広範囲に均等な空気の吹出しと風量の増大を実現できる。
【００４２】
請求項１０記載の発明によれば、遠心ファンと、遠心ファンを収容し空気吸込口と空気吹出口とが形成されたケーシングと、ケーシングの内部に設けられ空気吹出口が形成された面から空気吹出口に延在しケーシングの内部の高さより低い凸部と、を有することにより、空気吹出口から吹出す空気の風量の偏りを少なくできるので、広範囲に均等な空気の吹出しと風量の増大を実現できる。
【００４３】
請求項１１の発明によれば、請求項１から１０いずれか１項に記載の遠心ファン装置を具備することにより、放熱フィンなどの放熱体に対する放熱性能が向上し、より高速なクロック周波数で駆動するＭＰＵやＣＰＵなどの発熱電子部品を搭載した場合の発熱対策が容易になるので、その発熱電子部品の冷却性能が向上して電子機器の高性能化を実現できる。
【００４４】
以下、本発明の実施の形態を、図面を参照しながら説明する。なお、各図面において、ケーシングのファンフレーム側を下方、ファンカバー側を上方として説明する。
【００４５】
（実施の形態１）
図１は本発明の実施の形態１における遠心ファン装置の斜視図で、図２は本発明の実施の形態１における遠心ファン装置のファンカバーを外した状態での斜視図で、図３（ａ）は本発明の実施の形態１における遠心ファン装置のファンカバーを外した状態での平面図で、図３（ｂ）は同図（ａ）のＡ−Ａ矢視断面図で、図４は本発明の実施の形態１における遠心ファン装置の部分拡大斜視図で、図５（ａ）は本発明の実施の形態１における分流部材近傍の空気の流れを示した部分拡大斜視図で、図５（ｂ）は同図（ａ）の空気の流れを示す模式図である。
【００４６】
まず、図１で示したように、遠心ファン装置１の薄型で偏平形状のケーシング２は、上部に位置するファンカバー２ａとその下部に位置するファンフレーム２ｂとにより構成されている。
【００４７】
ここで、ファンカバー２ａは、アルミニウムやステンレス鋼などの金属材料の打ち抜き成形や樹脂成形によりプレート状に成形されており、その略中央部に外部から空気を吸気する略円形状の空気吸込口３ａが配設されている。
【００４８】
そして、ファンカバー２ａとファンフレーム２ｂとに挟まれて収容されるように遠心ファン４がケーシング２の内部に配置され、その遠心ファン４は、円筒形状の外周面を有するハブ部４ａとその外周面から遠心方向へ略放射状に延びる複数のブレード４ｂとから構成され、さらにそのブレード４ｂが回転中心である回転中心軸４ｃ（図３（ａ）参照）を中心として回転することによって、空気吸込口３ａから吸い込んだ空気を遠心方向へ送風する。
【００４９】
また、ファンフレーム２ｂは、樹脂成型やアルミニウム合金のダイカスト成型などにより底部と側壁が一体的に成形され、その側壁にはケーシング２の内部に吸気された空気を吹出す空気吹出口５が設けられている。
【００５０】
つまり、ケーシング２は、遠心ファン４の外周側の側方に空気を吹出す空気吹出口５を有する側壁と、平行な２つの部材であるファンカバー２ａとファンフレーム２ｂの底部と、から構成されている。
【００５１】
次に、図２で示したように、ファンフレーム２ｂの側壁の上部には、ファンカバー２ａ（図１参照）の取り付け穴に嵌挿して熱溶着やカシメなどにより固定するための、略円筒形状の凸部６が４箇所に設けられている。
【００５２】
また、ファンフレーム２ｂの下方に位置する底部にも前述した空気吸込口３ａ（図１参照）と略同径の空気吸込口３ｂが配設され、外部からの空気を吸気している。
【００５３】
そして、その空気吸込口３ｂを横断するように、遠心ファン４を回転自在に保持するスポーク７がファンフレーム２ｂの空気吸込口３ｂの周部に連設されている。
【００５４】
ここで、遠心ファン４が矢印Ｒで示した回転方向に高速で回転すると、そのハブ部４ａの上面に対向するようにファンカバー２ａ（図１参照）の中央部に配設された空気吸込口３ａとファンフレーム２ｂの底部の中央部に配設された空気吸込口３ｂとの両方から空気が吸気される。
【００５５】
さらにその吸気された空気が、複数のブレード４ｂの回転運動によりケーシング２の内部でそのブレード４ｂの遠心方向へと風向きが変えられるので、その大部分はファンカバー２ａやファンフレーム２ｂの内壁にぶつかりながら、その内壁に沿って遠心ファン４の矢印Ｒで示した回転方向へそれらの空気が送られて最終的に空気吹出口５から吹出される。
【００５６】
また、遠心ファン４の外周側の側方に位置するファンフレーム２ｂの側壁面８と空気吹出口５との間の通風路９内には、分流部材１０がファンフレーム２ｂの底部の内面に一体形成されている。なお、分流部材１０は、ファンフレーム２ｂの底部と別部材で設けてもよい。
【００５７】
そして、その分流部材１０は、ケーシング２の側壁の側壁面８から空気吹出口５に延在し、その高さはケーシング２の側壁の側壁面８の高さより低くなっている。
【００５８】
そのため、側壁面８と分流部材１０により空気吹出口５に抜ける空気を遠心ファン４の回転中心軸４ｃ（図４参照）と直交する方向及び遠心ファン４の回転中心軸４ｃ（図４参照）方向と直交する方向の２方向において分流させるため、空気吹出口５から吹出す空気の風量の偏りを少なくでき、広範囲に均等な空気の吹出しと風量の増大を実現できる。
【００５９】
つまり、空気吹出口５に抜ける空気は、分流部材１０に沿って空気吹出口５の方向へ流れる空気とその分流部材１０の上方の隙間を通過して側壁面８に沿って空気吹出口５の方向へ流れる空気とに分流されるため、空気吹出口５から吹出す空気の風量の偏りを少なくでき、広範囲に均等な空気の吹出しと風量の増大を実現できる。
【００６０】
そして、図３（ａ）に示したように、ファンフレーム２ｂの湾曲した側壁の上部には、ファンカバー２ａ（図１参照）の取り付け穴に嵌挿して熱溶着やカシメなどにより固定するための、略円筒形状の凸部６が４箇所に設けられている。
【００６１】
また、ファンフレーム２ｂの下方に位置する底部にも前述した空気吸込口３ａ（図１参照）と略同径の空気吸込口３ｂが配設され、外部からの空気を吸気している。
【００６２】
そして、その空気吸込口３ｂを横断するように、遠心ファン４を回転自在に保持するスポーク７がファンフレーム２ｂの空気吸込口３ｂの周部に３箇所で連設されている。
【００６３】
ここで、遠心ファン４が矢印Ｒで示した回転方向に高速で回転すると、そのハブ部４ａの上面に対向するようにファンカバー２ａ（図１参照）の中央部に配設された空気吸込口３ａとファンフレーム２ｂの底部の中央部に配設された空気吸込口３ｂとの両方から空気が吸気され、さらにその吸気された空気が、複数のブレード４ｂの回転運動によりケーシング２の内部でそのブレード４ｂの遠心方向へと風向きが変えられるので、その大部分はファンカバー２ａやファンフレーム２ｂの内壁にぶつかりながら、その内壁に沿って遠心ファン４の矢印Ｒで示した回転方向へそれらの空気が送られて、前述した分流部材１０によって実線の矢印で示した方向と破線の矢印で示した方向とに大きく分流され、最終的に空気吹出口５から吹出される。
【００６４】
また、遠心ファン４の外周側の側方に位置するファンフレーム２ｂの側壁面８と空気吹出口５との間の通風路９内には、分流部材１０が遠心ファン４の回転中心軸４ｃ方向（図３（ｂ）における上下方向に相当）にファンフレーム２ｂの底部の内面に立設されている。
【００６５】
そして、図３（ｂ）で示したように、その分流部材１０のファンフレーム２ｂの内面からの高さＨｂは側壁面８のファンフレーム２ｂの内面からの高さＨｆの５０％〜８０％程度となるように低く設定されていて、側壁面８と分流部材１０により空気吹出口５に抜ける空気を遠心ファン４の回転中心軸４ｃと直交する方向及び遠心ファン４の回転中心軸４ｃ方向と直交する方向の２方向において分流させるため、空気吹出口５から吹出す空気の風量の偏りを少なくでき、広範囲に均等な空気の吹出しと風量の増大を実現できる。
【００６６】
つまり、空気吹出口５に抜ける空気は、分流部材１０に沿って空気吹出口５の方向へ流れる空気とその分流部材１０の上方の隙間（Ｈｆ−Ｈｂ）を通過して側壁面８に沿って空気吹出口５の方向へ流れる空気とに分流されるため、空気吹出口５から吹出す空気の風量の偏りを少なくでき、広範囲に均等な空気の吹出しと風量の増大を実現できる。
【００６７】
ここで、分流部材１０のブレード４ｂ側の面である第１の側面１０ａは、ファンフレーム２ｂに対して角度θａが７５°〜１０５°の範囲となるように略垂直に形成されていて、遠心ファン４から送風された空気を直接受けてこの面に沿って空気吹出口５へ円滑に流れるようにしている。
【００６８】
また、分流部材１０の側壁面８側の面である第２の側面１０ｂは、ファンフレーム２ｂに対して角度θｂが２５°〜６５°の範囲となるように傾斜していて、分流部材１０の上方の隙間（Ｈｆ−Ｈｂ）を通過した空気がその第２の側面１０ｂの傾斜面に沿って空気吹出口５の方向へ空気吹出口５へ円滑に流れるようにしている。
【００６９】
さらに、図４を用いて詳細に説明すると、遠心ファン４の外周側の側方に位置するファンフレーム２ｂの側壁面８と空気吹出口５との間の通風路９内には、分流部材１０が遠心ファン４の回転中心軸４ｃ方向（図３（ｂ）における上下方向に相当）にファンフレーム２ｂの底部の内面に立設されている。
【００７０】
また、分流部材１０には、遠心ファン４から送風された空気を直接受ける第１の側面１０ａがファンフレーム２ｂの上面より前述した角度θａの範囲で略垂直に立ち上がるように設けられ、その高さＨｂはファンフレーム２ｂの側壁面８の高さＨｆより低く約５０％〜８０％の範囲内の高さに設定されている。
【００７１】
以上のように、分流部材１０の高さＨｂをケーシング２のファンフレーム２ｂの側壁面８の高さＨｆより低くして、分流部材１０と側壁面８を用いて空気吹出口５に抜ける空気を遠心ファン４の回転中心軸４ｃと直交する方向（図３（ｂ）におけるファンフレーム２ｂの底部と平行な方向に相当）及び遠心ファン４の回転中心軸４ｃ方向（図３（ｂ）における上下方向に相当）の２方向において分流させている。
【００７２】
つまり、空気吹出口５に抜ける空気は、分流部材１０の第１の側面１０ａにぶつかりながらその第１の側面１０ａに沿って空気吹出口５の方向へ流れる空気とその分流部材１０の上方の隙間（Ｈｆ−Ｈｂ）を通過して側壁面８に沿って流れる空気とに分流されている。
【００７３】
したがって、空気吹出口５から吹出す空気の風量の偏りを少なくできるので、広範囲に均等な空気の吹出しと風量の増大を実現できる。
【００７４】
また、その分流部材１０の側壁面８側の傾斜面である第２の側面１０ｂは、空気吹出口５に抜ける空気が分流部材１０の側方を通る際に空気が上方を抜けるようにすることにより、その分流部材１０による風路抵抗が小さくなり渦流や乱流の生成が抑制され、その第２の側面１０ｂの傾斜面に沿って上方に抜けた空気が円滑に流れるので、空気吹出口５から吹出す空気の風量の偏りをより一層確実に少なくし、広範囲により均等な空気の吹出しと風量の増大を実現できる。
【００７５】
さらに、その分流部材１０の空気吹出口５側の端面に、空気吹出口５に向かう程にその幅Ｗが広くなりかつファンフレーム２ｂの底部の内面に対して傾斜した第３の側面１０ｃを設けることで、空気吹出口５に抜ける空気は分流部材１０と側壁面８とによって分流されつつ、遠心ファン４の回転中心軸４ｃと直交する方向（図３（ｂ）におけるファンフレーム２ｂの底部と平行な方向に相当）及び遠心ファン４の回転中心軸４ｃ方向（図３（ｂ）における上下方向に相当）の２方向において分流された空気がその第３の側面１０ｃの傾斜面に沿って空気吹出口５に近づくほど混ざり合って、空気吹出口５から吹出す空気の風量を空気吹出口５の領域内において均等することができ、その結果、空気吹出口５から吹出す空気の風量の偏りをより一層確実に少なくし、広範囲により均等な空気の吹出しと風量の増大を実現できる。
【００７６】
つまり、空気吹出口５に抜ける空気は、分流部材１０に沿って空気吹出口５の方向へ流れる空気とその分流部材１０の上方の隙間を通過して側壁面８に沿って空気吹出口５の方向へ流れる空気とに分流されるため、空気吹出口５から吹出す空気の風量の偏りを少なくでき、広範囲に均等な空気の吹出しと風量の増大を実現できる。
【００７７】
以上のように、分流部材１０を空気吹出口５の近傍の側壁面８から空気吹出口５まで延在させることにより、空気吹出口５に抜ける空気が拡散し始める前から分流し始めて空気吹出口５を通過するまで空気を連続的に分流し続け、空気吹出口５を通過する際には確実に分流した状態となっているので、空気吹出口５から吹出す空気の風量の偏りを確実に少なくし、広範囲により均等な空気の吹出しと風量の増大を実現できる。
【００７８】
次に、図５（ａ）、（ｂ）を用いて、分流部材１０による空気の分流状態についてより詳細に説明する。
【００７９】
ここで、図５（ａ）においては、分流部材１０の第１の側面１０ａにぶつかりながらその第１の側面１０ａに沿って空気吹出口５の中央方向へ流れる空気を破線の矢印で示し、分流部材１０の上方の隙間を通過して側壁面８に沿って流れる空気を実線の矢印で示している。
【００８０】
さらに、その分流状態を明確に表わすため、図５（ｂ）においては、３次元的な模式図を用い図５（ａ）に対応させて破線の矢印で示した空気の流れと実線の矢印で示した空気とに分流される状態を示している。
【００８１】
この図でも明らかなように、分流部材１０と側壁面８を用いて空気吹出口５に抜ける空気を、遠心ファン４の回転中心軸４ｃと直交する方向（ＸＹ平面方向）において、分流部材１０の第１の側面１０ａに沿って空気吹出口５の中央に向かう空気と側壁面８に沿って流れる空気とに分流している。
【００８２】
また、同時に分流部材１０は、空気吹出口５に抜ける空気を、遠心ファン４の回転中心軸方向（Ｚ方向）において、分流部材１０の第１の側面１０ａに沿って流れる空気と分流部材１０の上方の隙間を通過させて側壁面８に沿って流れる空気とに分流している。
【００８３】
つまり、空気吹出口５に抜ける空気は、分流部材１０に沿って空気吹出口５の方向へ流れる空気とその分流部材１０の上方の隙間を通過して側壁面８に沿って空気吹出口５の方向へ流れる空気とに分流されるため、空気吹出口５から吹出す空気の風量の偏りを少なくでき、広範囲に均等な空気の吹出しと風量の増大を実現できる。
【００８４】
以上のように、遠心ファン４の回転中心軸４ｃと直交する方向（ＸＹ平面方向）と遠心ファン４の回転中心軸方向（Ｚ方向）の２方向において分流させることにより、空気吹出口５から吹出す空気の風量の偏りを少なくできるので、広範囲に均等な空気の吹出しと風量の増大を実現できる。
【００８５】
また、その分流部材１０の側壁面８側の傾斜面である第２の側面１０ｂは、空気吹出口５に抜ける空気が分流部材１０の側方を通る際に空気が上方を抜けるようにすることにより、その分流部材１０による風路抵抗が小さくなり渦流や乱流の生成が抑制され、その第２の側面１０ｂの傾斜面に沿って上方に抜けた空気が円滑に流れるので、空気吹出口５から吹出す空気の風量の偏りをより一層確実に少なくし、広範囲により均等な空気の吹出しと風量の増大を実現できる。
【００８６】
さらに、その分流部材１０の空気吹出口５側の端面に、空気吹出口５に向かう程にその幅Ｗが広くなりかつファンフレーム２ｂの底部の内面に対して傾斜した第３の側面１０ｃを設けることで、空気吹出口５に抜ける空気は分流部材１０と側壁面８とによって分流されつつ、遠心ファン４の回転中心軸４ｃと直交する方向及び遠心ファン４の回転中心軸４ｃ方向の２方向において分流された空気がその第３の側面１０ｃの傾斜面に沿って空気吹出口５に近づくほど混ざり合って、空気吹出口５から吹出す空気の風量を空気吹出口５の領域内において均等することができ、その結果、空気吹出口５から吹出す空気の風量の偏りをより一層確実に少なくし、広範囲により均等な空気の吹出しと風量の増大を実現できる。
【００８７】
つまり、空気吹出口５に抜ける空気は、分流部材１０に沿って空気吹出口５の方向へ流れる空気とその分流部材１０の上方の隙間を通過して側壁面８に沿って空気吹出口５の方向へ流れる空気とに分流されるため、空気吹出口５から吹出す空気の風量の偏りを少なくでき、広範囲に均等な空気の吹出しと風量の増大を実現できる。
【００８８】
以上のように、分流部材１０を空気吹出口５の近傍の側壁面８から空気吹出口５まで延在させることにより、空気吹出口５に抜ける空気が拡散し始める前から分流し始めて空気吹出口５を通過するまで空気を連続的に分流し続け、空気吹出口５を通過する際には確実に分流した状態となっているので、空気吹出口５から吹出す空気の風量の偏りを確実に少なくし、広範囲により均等な空気の吹出しと風量の増大を実現できる。
【００８９】
（実施の形態２）
図６（ａ）は本発明の実施の形態２における遠心ファン装置の斜視図で、図６（ｂ）は同図（ａ）の遠心ファン装置を反転させた斜視図で、図７は本発明の実施の形態２における遠心ファン装置のファンカバーを外した状態での平面図で、図８（ａ）は遠心ファン装置に風速分布の計測用プレートを装着した状態の斜視図で、図８（ｂ）は分流部材の分流効果を示す風速分布のグラフである。
【００９０】
まず、図６（ａ）や図６（ｂ）で示したように、遠心ファン装置２１は、上部に位置するファンカバー２２ａとその下部に位置するファンフレーム２２ｂとから構成された薄型で偏平形状のケーシング２２と、そのケーシング２２の内部に収容された遠心ファン２３と、ケーシング２２の側方に位置する一方の空気吹出口３２（図７参照）に連なって配置された複数の放熱フィン２４と、ケーシング２２の側方に位置する他方の空気吹出口（図示せず）に連なって配置された複数の放熱フィン２５と、それら放熱フィン２４及び放熱フィン２５のそれぞれの上方端に接続され、発熱電子部品（図示せず）の熱を受熱部２６で受熱して、その熱を放熱フィン２４や放熱フィン２５まで熱伝達を行うヒートパイプ２７などを備えている。
【００９１】
また、遠心ファン２３、ケーシング２２、及びそのケーシング２２に設けられた分流部材２８（図７参照）などの構成は、実施の形態１で説明した遠心ファン装置１（図１参照）と同様なので、重複する内容は一部省略して説明する。
【００９２】
また、ファンカバー２２ａは、アルミニウムやステンレス鋼などの金属材料の打ち抜き成形や樹脂成形によりプレート状に成形されており、その略中央部に外部から空気を吸気する略円形状の空気吸込口２９ａが配設されている。
【００９３】
そして、ファンカバー２２ａとファンフレーム２２ｂとに挟まれて収容されるように遠心ファン２３がケーシング２２の内部に配置され、その遠心ファン２３は、円筒形状の外周面を有するハブ部２３ａとその外周面から遠心方向へ略放射状に延びる複数のブレード２３ｂとから構成され、さらにそのブレード２３ｂが回転中心軸である回転中心軸２３ｃ（図７参照）を中心として回転することによって、遠心方向へ空気を送風する。
【００９４】
また、ファンフレーム２２ｂは、樹脂成型やアルミニウム合金のダイカスト成型などにより底部と側壁が一体的に成形され、その側壁には、ケーシング２２の内部に吸気された空気を吹出す空気吹出口３２（図７参照）が配設されている。
【００９５】
つまり、ケーシング２２は、遠心ファン２３の外周側の側方に空気を吹出す空気吹出口３２を有する側壁と、平行な２つの部材であるファンカバー２２ａとファンフレーム２２ｂの底部と、から構成されている。
【００９６】
また、ファンフレーム２２ｂの側壁の上部には、ファンカバー２２ａの取り付け穴に嵌挿して熱溶着やカシメなどにより固定するための、略円筒形状の凸部２２ｃが４箇所に設けられている。
【００９７】
また、ファンフレーム２２ｂの下方に位置する底部にも前述した空気吸込口２９ａと略同径の空気吸込口２９ｂが配設され、外部からの空気を吸気している。
【００９８】
そして、その空気吸込口２９ｂを横断するように、遠心ファン２３を回転自在に保持するスポーク３０がファンフレーム２２ｂの空気吸込口２９ｂの周部に連設されている。
【００９９】
ここで、遠心ファン２３が矢印Ｒで示した回転方向に高速で回転すると、そのハブ部２３ａの上面に対向するようにファンカバー２２ａの中央部に配設された空気吸込口２９ａとファンフレーム２２ｂの底部の中央部に配設された空気吸込口２９ｂとの両方から空気が吸気され、さらにその吸気された空気が、複数のブレード２３ｂの回転運動によりケーシング２２の内部でそのブレード２３ｂの遠心方向へと風向きが変えられるので、その大部分はファンカバー２２ａやファンフレーム２２ｂの内壁にぶつかりながら、その内壁に沿って遠心ファン２３の矢印Ｒで示した回転方向へそれらの空気が送られて最終的に空気吹出口３２（図７参照）から吹出される。
【０１００】
そして、ケーシング２２の内壁に沿って流れた空気が、放熱フィン２４と放熱フィン２５のそれぞれに向かって空気吹出口３２（図７参照）から広範囲に均等な空気が送風されるので、受熱部２６によって発熱電子部品（図示せず）から受熱された熱は、前述したヒートパイプ２７を介して放熱フィン２４や放熱フィン２５まで熱伝熱され、それらの放熱フィンの間の隙間を流れる空気と熱交換されて、効率的な放熱が行われるようになっている。
【０１０１】
次に、図７を用いて、分流部材２８による空気の分流状態と放熱フィン２５との関係についてより詳細に説明する。
【０１０２】
この図でも明らかなように、遠心ファン２３の外周側の側方に位置するファンフレーム２２ｂの側壁面３１と空気吹出口３２との間の通風路３３内には、分流部材２８がファンフレーム２２ｂの底部の内面に一体形成されている。なお、分流部材１０は、ファンフレーム２ｂの底部と別部材で設けてもよい。
【０１０３】
そして、その分流部材２８は、ケーシング２２の側壁の側壁面３１から空気吹出口３２に延在し、その高さはケーシング２２の側壁の側壁面８の高さより低くなっている。
【０１０４】
ここで、分流部材２８のファンフレーム２２ｂの底部の内面からの高さを側壁面３１のファンフレーム２２ｂの底部の内面からの５０％〜８０％程度となるように低く設定されていて、分流部材２８は側壁面３１に沿って流れ空気吹出口３２に抜ける空気を遠心ファン２３の回転中心軸２３ｃと直交する方向及び遠心ファン２３の回転中心軸２３ｃ方向の２方向において実線の矢印で示した方向と破線の矢印で示した方向とに大きく分流させることにより、空気吹出口３２から吹出す空気の風量の偏りを少なくできるので、広範囲に均等な空気の吹出しと風量の増大の効果が得られ放熱フィン２５での熱交換が効率的に行われ、冷却性能の向上を実現できる。
【０１０５】
また、放熱フィン２５に対して偏った送風が行われることに起因した放熱フィン２５間の隙間の通風時における風切り騒音などの異音の発生も抑制できるので、より静音性の向上を実現できる。
【０１０６】
また、その分流部材２８の側壁面３１側の面である第２の側面２８ｂは、ファンフレーム２２ｂに対して角度が２５°〜６５°の範囲となるように傾斜していて、空気吹出口３２に抜ける空気が分流部材２８の側方を通る際に空気が上方を抜けるようにすることにより、その分流部材２８による風路抵抗が小さくなり渦流や乱流の生成が抑制され、その第２の側面２８ｂの傾斜面に沿って空気が円滑に流れるので、空気吹出口３２から吹出す空気の風量の偏りをより一層確実に少なくし、広範囲により均等な空気の吹出しと風量の増大の効果が得られ放熱フィン２５での熱交換が効率的に行われ、冷却性能の向上を実現できる。
【０１０７】
さらに、その分流部材２８の空気吹出口３２側の端面に、空気吹出口３２に向かう程にその幅が広くなりかつファンフレーム２ｂの底部の内面に対して傾斜した第３の側面２８ｃを設けることで、空気吹出口３２に抜ける空気は分流部材２８と側壁面３１とによって分流されつつ、遠心ファン４の回転中心軸４ｃと直交する方向の２方向において分流された空気がその第３の側面２８ｃの傾斜面に沿って空気吹出口５に近づくほど混ざり合って、空気吹出口３２から吹出す空気の風量を空気吹出口３２の領域内において均等することができ、その結果、空気吹出口３２から吹出す空気の風量の偏りをより一層確実に少なくし、広範囲により均等な空気の吹出しと風量の増大の効果が得られ放熱フィン２５での熱交換が効率的に行われ、冷却性能の向上を実現できる。
【０１０８】
つまり、空気吹出口３２に抜ける空気は、分流部材２８に沿って空気吹出口３２の方向へ流れる空気とその分流部材２８の上方の隙間を通過して側壁面３１に沿って空気吹出口５の方向へ流れる空気とに分流されるため、空気吹出口３２から吹出す空気の風量の偏りを少なくし、広範囲により均等な空気の吹出しと風量の増大の効果が得られ放熱フィン２５での熱交換が効率的に行われ、冷却性能の向上を実現できる。
【０１０９】
以上のように、その分流部材２８を空気吹出口３２の近傍の側壁面３１から空気吹出口３２まで延在させることにより、空気吹出口３２に抜ける空気が拡散し始める前から分流し始めて空気吹出口３２を通過するまで空気を連続的に分流し続け、空気吹出口３２を通過する際には確実に分流した状態となっているので、空気吹出口３２から吹出す空気の風量の偏りをより一層確実に少なくし、広範囲に均等な空気の吹出しと風量の増大の効果が得られ放熱フィン２５での熱交換が効率的に行われ、冷却性能の向上を実現できる。
【０１１０】
次に、図８（ａ）は、遠心ファン装置２１の放熱フィン２４及び放熱フィン２５のそれぞれの吹出し口に風速分布の計測用プレート２４ｐ及び計測用プレート２５ｐを装着した状態を示している。
【０１１１】
ここで、計測用プレート２５ｐには、それぞれのスリットに上流側よりスリット記号をＦ１、Ｆ２、Ｆ３、・・・、Ｆ１１と順次割り振り、さらに計測用プレート２４ｐには、それぞれのスリットに上流側よりスリット記号Ｓ１、Ｓ２、Ｓ３、・・・、Ｓ１０と順次割り振りを行って、後述する風速分布のグラフの横軸とそれぞれが対応可能となるようにしている。
【０１１２】
そして、図８（ｂ）は、図８（ａ）のような風速分布の計測用プレート２４ｐと２５ｐを装着した状態で、それぞれのスリットについて風速を測定した結果を示した風速分布のグラフで、分流部材の分流効果を示している。
【０１１３】
このグラフにおいては、前提条件として遠心ファン２３、ケーシング２２、及び放熱フィン２４，２５を同一とし、ファン騒音値についても３２ｄＢＡ相当で同一となるように回転数を調整して、分流部材２８なし及び単なる板状の分流部材との比較を行った。
【０１１４】
測定の結果では、放熱フィン２４の吹出し口側に位置するスリット記号Ｓ１、Ｓ２、Ｓ３、・・・、Ｓ１０における風速分布では大差がないものの、放熱フィン２５の吹出し口側に位置するスリット記号Ｆ１、Ｆ２、Ｆ３、・・・、Ｆ１１における風速分布で顕著な差が認められた。
【０１１５】
特に、分流部材がない場合においてはスリット記号Ｆ２に、単なる板状の分流部材を設けた場合においてはスリット記号Ｆ４に局所的に偏った送風が行われ、そのことに起因した放熱フィン２５間の隙間の通風時における風切り騒音などの異音が発生し回転数を上昇させるのが困難であるのに対して、本発明の実施の形態２のような分流部材２８を設けた場合には、スリット記号Ｆ２とスリット記号Ｆ４との方向へ分流されるので、その分、放熱フィン２５間の隙間の通風時における風切り騒音などの異音が抑制される。
【０１１６】
そして、同一のファン騒音値で比較した場合には、回転数をより上昇させることが可能となるため、分流部材２８を設けた場合においては、グラフでも明らかなようにスリット記号Ｆ１、Ｆ２、Ｆ３、・・・、Ｆ１１の全体に渡って風速の増大が認められる。
【０１１７】
したがって、放熱フィン２４及び放熱フィン２５の両方から吹出される風量は、分流部材なしの場合と比較して約１４％の増大が確認され、単なる板状の分流部材を設けた場合と比較して約１８％の増大が確認された。
【０１１８】
以上のことから、本発明の実施の形態２のような遠心ファン装置２１であれば空気吹出口３２から吹出す空気の風量の偏りを少なくできるので、広範囲に均等な空気の吹出しと風量の増大の効果が得られ放熱フィン２５での熱交換が効率的に行われ、冷却性能の向上を実現できる。
【０１１９】
また、放熱フィン２５に対して偏った送風が行われることに起因した放熱フィン２５間の隙間の通風時における風切り騒音などの異音の発生も抑制できるので、より静音性の向上を実現できる。
【０１２０】
（実施の形態３）
図９（ａ）は本発明の実施の形態３における電子機器の筐体内部を示した図で、図９（ｂ）は同図（ａ）の主要部を示した断面図である。
【０１２１】
この電子機器５０は、開閉型の液晶表示装置５１が操作部を有する本体装置５２の端部のヒンジ機構５３に回動支持された構成のノート型ＰＣである。
【０１２２】
この図では、電子機器５０の本体装置５２の筐体内部に配置された回路基板５４の下側面には、冷却されるべき発熱電子部品（図示せず）が実装されていて、その発熱電子部品と熱的に接続された複数の放熱フィン５５が本体装置５２の筐体側面５２ａ側に設置されている状態を示している。
【０１２３】
また、遠心ファン装置５６は、実施の形態１で説明した構成のものと同一で、前述した放熱フィン５５に隣接するように回路基板５４の下方に実装されていて、ファンカバー５７が下側に、ファンフレーム５８が上側になるような向きとなっている。
【０１２４】
そして、本体装置５２の下側の空気は、本体装置５２の筐体底面５２ｂ側に設けられた複数の通気口５９を通過してファンカバー５７の吸気口５７ａより吸入されると同時に、本体装置５２の内部の空気は、ファンフレーム５８の空気吸込口５８ａより吸入され、遠心ファン６０の回転運動によりファンカバー５７とファンフレーム５８とで構成されるケーシングの内部でその遠心ファン６０の遠心方向へと風向きが変えられるので、その大部分はファンカバー５７やファンフレーム５８の内壁にぶつかりながら、その内壁に沿って遠心ファン６０の回転方向と同一の方向へそれらの空気が送られる。
【０１２５】
そして、実施の形態１で説明したように、分流部材６１の高さはファンフレーム５８の側壁面５８ｂの高さより低く、分流部材６１はその側壁面５８ｂに沿って流れ空気吹出口６２に抜ける空気を遠心ファン６０の回転中心軸６０ａと直交する方向及び遠心ファン６０の回転中心軸６０ａ方向の２方向において分流させることにより、空気吹出口６２から吹出す空気の風量の偏りを少なくできるので、広範囲に均等な空気の吹出しと風量の増大を実現できる。
【０１２６】
したがって、空気吹出口６２から送風された空気は、そのような広範囲に均等な空気の吹出しと風量の増大の効果が得られ放熱フィン５５での熱交換が効率的に行われ、冷却性能の向上を実現できる。
【０１２７】
また、放熱フィン５５に対して偏った送風が行われることに起因した放熱フィン５５間の隙間の通風時における風切り騒音などの異音の発生も抑制できるので、より静音性の向上を実現できる。
【０１２８】
そして、複数の放熱フィン５５間の隙間をその放熱フィン５５と熱交換しながら通過した空気は、最終的に本体装置５２の筐体側面５２ａに設けられた通気口６３を通過して外部へ排出される。
【０１２９】
つまり、前述したような遠心ファン装置５６を具備することにより、放熱フィン５５などの放熱体に対する放熱性能が向上し、より高速なクロック周波数で駆動するＭＰＵやＣＰＵなどの発熱電子部品を搭載した場合の発熱対策がより容易になるので、この電子機器５０の高性能化を実現できる。
【０１３０】
なお、以上の実施の形態の説明において、構成要素の寸法、数量、材質、形状、その相対的な配置などは、特にそれらに限定される旨の記載がない限りは、本発明の範囲をそれらのみに限定する趣旨のものではなく、単なるひとつの実施の形態の説明に過ぎず、様々な変形が可能であって、例えば、分流部材における高さ、大きさ、側面の数等は、制御したい空気の流れ方向によって適宜変更してもよいし、ファンフレームではなくファンカバーに設けてもよいし、ケーシングの外形についても略四角形や略平行四辺形でなくても、略円形、略３角形、あるいはそれ以外の種々の多角形でも構わなく、空気吸込口も、ファンカバーやファンフレームのいずれか一方のみに配設してもよいし、空気吹出口も一方向のみまたは３個以上設けてもよい。
【０１３１】
また、ケーシングの構成についても、単にファンカバーとファンフレームとからのみ構成されたものではなく、例えば実施の形態２で説明したように、そのファンフレームの一部に発熱電子部品と熱的な接続を行う受熱部を設けたり、放熱性を有するヒートシンクなどをダイカスト成型やプレス成形などによって一体的に設けたりする構成でもよいし、さらにその間の熱輸送を効率的に行うヒートパイプ、熱伝導性シートなどのような熱輸送部材を備えていてもよい。
【０１３２】
さらに、遠心ファンは、複数のブレードを有し、そのブレードの回転によって遠心方向へ空気を送風する遠心ファンであればよく、例えばシロッコファンのようにブレードが外周部のみに形成されたような形態の遠心ファンであっても構わず、その場合における回転中心軸は、ブレードの外周部で形成される仮想の外周円の中心軸に相当するものとして解釈すればよい。
【０１３３】
（実施の形態４）
図１１は本発明の実施の形態４における遠心ファン装置のファンカバーを外した状態での斜視図で、図１２（ａ）は本発明の実施の形態４における遠心ファン装置のファンカバーを外した状態での平面図で、図１２（ｂ）は同図（ａ）のＢ−Ｂ矢視断面図で、図１３は本発明の実施の形態４における分流部材の分流作用を示す風速分布のグラフである。
【０１３４】
本実施の形態は、実施の形態１、２の分流部材の形状を変化させたものであり、以下にその分流部材の形状について説明する。
【０１３５】
まず、図１１で示したように、遠心ファン２０１の外周側の側方に位置するファンフレーム２０２の側壁面２０３と空気吹出口２０４との間の通風路２０５内には、分流部材２０６がファンフレームの底部の内面に一体形成されている。なお、分流部材２０６は、ファンフレーム２０２の底部と別部材で設けてもよい。
【０１３６】
ここで、分流部材２０６の高さは、ファンフレーム２０２の側壁面の高さより低くしている。この分流部材２０６の高さを低くすることにより、空気吹出口２０４に抜ける空気は、遠心ファン２０１の回転中心軸方向に分流される。さらに、分流部材２０６の上方に分流された空気は側壁面２０３に沿って空気吹出口２０４に抜け、一方、分流部材２０６に沿って分流された空気は遠心ファン２０１側の分流部材２０６の側壁面に沿って空気吹出口２０４に抜ける。
【０１３７】
これにより、分流部材２０６の上方に分流された空気と分流部材２０６に沿って分流された空気とは、遠心ファン２０１の回転中心軸に直交する方向に分流される。この際、遠心ファン２０１側の分流部材２０６の側壁面は、遠心ファン２０１の回転により生じた空気の流れの方向をまず直線状に空気吹出口２０４に向け、次に分流部材２０６の側壁面に沿って流れる空気が、空気吹出口２０４の近傍において側壁面２０３に沿って流れる空気からより遠ざかるように、弧を描いて設けられている。
【０１３８】
この分流部材２０６は図１２（ａ）で示すように、遠心ファン２０１側に設けられた第１の面２０６ａ、側壁面２０３側に設けられた第２の面２０６ｂ、空気吹出口２０４側に設けられた第３の面２０６ｃ、分流部材２０６の上面である第４の面２０６ｄの４つの面で構成されている。第１の面２０６ａは、遠心ファン２０１の回転により生じた空気の流れの方向をまず空気吹出口２０４に向ける直線部を有し、続いて、分流部材２０６の側壁面に沿って流れる空気が、空気吹出口２０４の近傍において側壁面２０３に沿って流れる空気からより遠ざかるように、弧を描いて設けられている曲線部を有している。第２の面２０６ｂは、分流部材２０６の上方に分流された空気を側壁面２０３側に下らせる傾斜面を有している。第３の面２０６ｃは、分流部材２０６の上方に分流された空気と分流部材２０６に沿って分流された空気とを、空気吹出口２０４の近傍において行き来を可能とするように、ファンフレーム２０２に対して傾斜している。第４の面２０６ｄは、分流部材２０６の上面に設けられファンフレーム２０２の底面と平行な面である。
【０１３９】
そして、図１２（ｂ）で示したように、第１の面２０６ａはファンフレーム２０２に対して略垂直に設けられ、一方、第２の面はファンフレーム２０２の底面に対して傾斜している。また、分流部材２０６のファンフレーム２０２の内面からの高さＨｂは、側壁面２０３のファンフレーム２０２の内面からの高さＨｆより低くなるように設定されていている。
【０１４０】
以上のような構成された本実施の形態の遠心ファン装置について、その動作を説明する。
【０１４１】
まず、遠心ファン２０１が回転すると、ファンフレーム２０２の内部に空気の流れが生ずる。この空気の流れは分流部材２０６によって遠心ファン２０１の回転中心軸方向に分流される。さらに、分流部材２０６の上方に分流された空気は第４の面２０６ｄから第２の面２０６ｂに沿ってと広がり、側壁面２０３に沿って空気吹出口２０４に抜ける。一方、分流部材２０６に沿って分流された空気は分流部材２０６の第１の面２０６ａに沿って空気吹出口２０４に抜ける。これにより、分流部材２０６の上方に分流された空気と分流部材２０６に沿って分流された空気とは、遠心ファン２０１の回転中心軸に直交する方向に分流される。さらに、空気吹出口２０４の近傍に近づくにしたがって、側壁面２０６ａの曲線部により、分流部材２０６に沿って分流された空気は、空気吹出口２０４の近傍において側壁面２０３に沿って流れる空気から一層遠ざかる。これにより、空気吹出口２０４の近傍において側壁面２０３に沿って流れる空気と分流部材２０６に沿って分流された空気との間隔は、空気吹出口２０４において広げられることになる。一方、第３の面２０６ｃにより、分流部材２０６の上方に分流された空気と分流部材２０６に沿って分流された空気との行き来を可能としている。
【０１４２】
図１３は、本実施の形態の遠心ファン装置に放熱フィンを設け、実施の形態２と同様の風速測定の結果を示した風速分布のグラフである。図１３によれば、本実施の形態の分流部材２０６は、実施の形態２の分流部材２８より、スリット記号Ｆ２とＦ４とにおいて、風量比が改善され、より均一になっていることがわかる。
【産業上の利用可能性】
【０１４３】
本発明にかかる遠心ファン装置及びそれを備えた電子機器は、空気吹出口から吹き出す空気の風量の偏りを少なくし、広範囲に均等な空気の吹き出しと風量の増大が可能になるので、受熱体から放熱体までの熱輸送をヒートパイプや液体冷媒の循環などの方式により効率的に行った後、その放熱体を強制的に放熱する遠心ファン装置及びそれを備えた電子機器等として有用である。
【図面の簡単な説明】
【０１４４】
【図１】本発明の実施の形態１における遠心ファン装置の斜視図
【図２】本発明の実施の形態１における遠心ファン装置のファンカバーを外した状態での斜視図
【図３】（ａ）本発明の実施の形態１における遠心ファン装置のファンカバーを外した状態での平面図、（ｂ）（ａ）のＡ−Ａ矢視断面図
【図４】本発明の実施の形態１における遠心ファン装置の部分拡大斜視図
【図５】（ａ）本発明の実施の形態１における分流部材近傍の空気の流れを示した部分拡大斜視図、（ｂ）（ａ）の空気の流れを示す模式図
【図６】（ａ）本発明の実施の形態２における遠心ファン装置の斜視図、（ｂ）（ａ）の遠心ファン装置を反転させた斜視図
【図７】本発明の実施の形態２における遠心ファン装置のファンカバーを外した状態での平面図
【図８】（ａ）遠心ファン装置に風速分布の計測用プレートを装着した状態の斜視図、（ｂ）分流部材の分流作用を示す風速分布のグラフ
【図９】（ａ）本発明の実施の形態３における電子機器の筐体内部を示した図、（ｂ）（ａ）の主要部を示した断面図
【図１０】（ａ）従来の技術における遠心ファン装置のケーシングの内部を示す側面図、（ｂ）従来の技術における遠心ファン装置のケーシングの一部を切り欠いた正面図
【図１１】本発明の実施の形態４における遠心ファン装置のファンカバーを外した状態での斜視図
【図１２】（ａ）本発明の実施の形態４における遠心ファン装置のファンカバーを外した状態での平面図、（ｂ）（ａ）のＢ−Ｂ矢視断面図
【図１３】本発明の実施の形態４における分流部材の分流作用を示す風速分布のグラフ
【符号の説明】
【０１４５】
１    遠心ファン装置
２    ケーシング
２ａ    ファンカバー
２ｂ    ファンフレーム
３ａ    空気吸込口
３ｂ    空気吸込口
４    遠心ファン
４ａ    ハブ部
４ｂ    ブレード
４ｃ    回転中心軸
５    空気吹出口
６    凸部
７    スポーク
８    側壁面
９    通風路
１０    分流部材
１０ａ    第１の側面
１０ｂ    第２の側面
１０ｃ    第３の側面
２１    遠心ファン装置
２２    ケーシング
２２ａ    ファンカバー
２２ｂ    ファンフレーム
２２ｃ    凸部
２３    遠心ファン
２３ａ    ハブ部
２３ｂ    ブレード
２３ｃ    回転中心軸
２４    放熱フィン
２４ｐ    計測用プレート
２５    放熱フィン
２５ｐ    計測用プレート
２６    受熱部
２７    ヒートパイプ
２８    分流部材
２８ａ    第１の側面
２８ｂ    第２の側面
２８ｃ    第３の側面
２９ａ    空気吸込口
２９ｂ    空気吸込口
３０    スポーク
３１    側壁面
３２    空気吹出口
３３    通風路
５０    電子機器
５１    液晶表示装置
５２    本体装置
５２ａ    筐体側面
５２ｂ    筐体底面
５３    ヒンジ機構
５４    回路基板
５５    放熱フィン
５６    遠心ファン装置
５７    ファンカバー
５８    ファンフレーム
５８ａ    空気吸込口
５８ｂ    側壁面
５９    通気口
６０    遠心ファン
６０ａ    回転中心軸
６１    分流部材
６２    空気吹出口
６３    通気口
２０１    遠心ファン
２０２    ファンフレーム
２０３    側壁面
２０４    空気吹出口
２０５    通風路
２０６    分流部材
２０６ａ    第１の面
２０６ｂ    第２の面
２０６ｃ    第３の面
２０６ｄ    第４の面
Ｒ    遠心ファンの回転方向
Ｈｂ    分流部材の高さ
Ｈｆ    側壁面の高さ
Ｗ    第３の側面の幅
θａ    ファンフレームに対する第１の側面の角度
θｂ    ファンフレームに対する第２の側面の角度
【図１】
2008291819.tif 000003
【図２】
2008291819.tif 000004
【図３】
2008291819.tif 000005
【図４】
2008291819.tif 000006
【図５】
2008291819.tif 000007
【図６】
2008291819.tif 000008
【図７】
2008291819.tif 000009
【図８】
2008291819.tif 000010
【図９】
2008291819.tif 000011
【図１０】
2008291819.tif 000012
【図１１】
2008291819.tif 000013
【図１２】
2008291819.tif 000014
【図１３】
2008291819.tif 000015